(57)【特許請求の範囲】
【請求項１】
サッシ枠内にスライドして開閉自在に嵌合された外障子の召合せ框と内障子の召合せ框との間を塞ぐシール構造であって、
前記外障子及び内障子のうちいずれか一方の障子の召合せ框に取付けられる取付基部と、
前記取付基部に一体成形され、前記両障子の閉時に、前記他方の障子の召合せ框の相対向する面に弾接する中空シール部と、
前記中空シール部から突設され、前記両障子の閉時に、前記他方の障子の召合せ框の側面側に弾接するヒレ片を備えることを特徴とする住宅用サッシのシール構造。
【請求項２】
前記他方の障子の召合せ框の相対向する面にはゴム様弾性体からなる緩衝部材が設けられ、前記中空シール部は、前記両障子の閉時に、前記緩衝部材に弾接することを特徴とする請求項１に記載の住宅用サッシのシール構造。
【請求項３】
前記緩衝部材は、前記中空シール部が弾接される中空部を有することを特徴とする請求項２に記載の住宅用サッシのシール構造。
【請求項４】
前記緩衝部材の中空部は、端部から中央部にかけて前記一方の障子側への突出量を徐々に大きくした断面略円弧状であることを特徴とする請求項２又は３に記載の住宅用サッシのシール構造。
【請求項５】
前記一方の障子は前記内障子であり、前記他方の障子は前記外障子であることを特徴とする請求項１乃至請求項４のうちいずれか一つに記載の住宅用サッシのシール構造。
【請求項６】
前記取付基部は、前記内障子の召合せ框において室内側に露出した面を覆うように取付けられることを特徴とする請求項５に記載の住宅用サッシのシール構造。
【発明の詳細な説明】
【技術分野】
【０００１】
本発明は、住宅用サッシのシール構造に関する。より詳細には、住宅用サッシのサッシ枠内にスライドして開閉自在に嵌合された外障子と内障子間の隙間を塞ぐ住宅用サッシのシール構造に関するものである。
【背景技術】
【０００２】
図９に示すように、通常の住宅用サッシは、上枠１１，下枠１２，縦枠１３，１４からなる矩形状のサッシ枠１０内に、２枚の障子２１（室内側に位置する障子：内障子），２２（室外側に位置する障子：外障子）が引き違いに嵌合されている。これにより、２枚の障子２１，２２はスライドして開閉自在で、閉鎖時には両障子２１，２２の召合せ框２１Ａ，２２Ａ間に設けられたロック部材１００を施錠することによって両障子２１，２２は互いに引き寄せられる。
【０００３】
このような障子２１，２２とサッシ枠１０との間、すなわち、障子２１，２２の上框２１Ｂ，２２Ｂとサッシ枠１０の間，障子２１，２２の戸先框２１Ｃ，２２Ｃとサッシ枠１０の間，障子２１，２２の下框２１Ｄ，２２Ｄとサッシ枠１０の間，あるいは、障子２１，２２の召合せ框２１Ａ，２２Ａの間には、施錠時及び無施錠時に両障子２１，２２を閉鎖したときに両者間の隙間を塞いで室外側から室内側に進入する音を効果的に低減するための各種シール材が設けられている。
【０００４】
ここで、障子２１，２２の召合せ框２１Ａ，２２Ａの間には、例えば、図１０に示すように、内障子２１の召合せ框２１Ａに取付けられたシール材３１のシール片３１ｂ及びシール材３２のシール片３２ｂを、相対向する外障子の召合せ框２２Ａの室内側面２４ａに取付けられた略板状の緩衝部材３３に弾接させて両召合せ框２１Ａ，２２Ａ間を塞ぐシール構造が考えられる。
シール材３１は、内障子２１の召合せ框２１Ａにおいて室内側に露出した面２３ａ，２３ｄを覆うように取付けられた断面略Ｌ字状の取付基部３１ａとその取付基部３１ａに一体成形され取付基部３１ａから外障子２２側に向かって突設されたリップ形状のシール片３１ｂからなる。また、シール材３２は、内障子２１の召合せ框２１Ａの室外側面２３ｂに取付けられた取付基部３２ａとその取付基部３２ａに一体成形され取付基部３２ａから外障子２２側に向かって突設された３本のリップ形状のシール片３２ｂからなる。
シール材３１のシール片３１ｂとシール材３２のシール片３２ｂは、内障子２１の召合せ框２１Ａの室外側面２３ｂに並設され、両障子２１，２２の閉時には外障子２２の召合せ框２２Ａに取付けられた緩衝部材３３に弾接して防音効果を発揮している。
【０００５】
また、図１２に示すように、内障子２１の召合せ框２１Ａに取付けられたシール材３５の中空シール部３５ｂを、相対向する外障子の召合せ框２２Ａの面２４ａに弾接させて両召合せ框２１Ａ，２２Ａ間を塞ぐシール構造が知られている（例えば、特許文献１）。
シール材３５は、内障子２１の召合せ框２１Ａの室外側面２３ｂに取付けられた取付基部３５ａとその取付基部３５ａに一体成形され取付基部３５ａから外障子２２側に向かって膨出湾曲するように突設された断面環状の中空シール部３５ｂからなり、両障子２１，２２の閉時には中空シール部３５ｂが外障子２２の召合せ框２２Ａに直接弾接して防音効果を発揮している。
【先行技術文献】
【特許文献】
【０００６】
【特許文献１】特開平１０−７７７７０号公報（図８）
【発明の概要】
【発明が解決しようとする課題】
【０００７】
しかし、図１０に示したシール構造の場合、シール材３１のシール片３１ｂは断面略舌状のリップ形状をしているので、図１１の点線で示すようにシール片３１ｂが反転して部分的にシール切れが生じるといったおそれがある。なお、シール材３２のシール片３２ｂについても断面略舌状のリップ形状をしているので、図示していないが、シール材３１のシール片３１ｂと同様に部分的にシール切れが生じるおそれがある。
【０００８】
このようにシール切れが生じるおそれがあると、長期的に安定したシール性が確保されず、実際にシール切れが生じると隙間ｍを介して室外側から室内側に音や雨水が侵入するといった問題がある。また、シール片３１ｂ，３２ｂは、それらの先端が、外障子２２の召合せ框２２Ａに取付けられた緩衝部材３３に対して点接触にて弾接するためシール機能は十分ではなく防音効果は低い。
さらに、シール材３１，３２といった２部品を使用してシールするため、組み付けに工数がかかるとともにコスト高にもなる。
【０００９】
これに対して、図１２に示したシール構造の場合は、中空シール部３５ｂを有するシール材３５だけであるので、２部品のものと比較して組み付けを簡易に行うことができるとともにコスト高になることも回避することができ、さらに外障子２２の召合せ框２２Ａに対して面接触にて弾接するため、図１０に示したシール構造のようにシール片３１ｂ，３２ｂを弾接させたものと比較してシール性に優れる。
しかしながら、中空シール部３５ｂを外障子２２の平担な面の召合せ框２２Ａに直接、弾接させてシールするだけの構造であるため、両障子２１，２２の召合せ框２１Ａ，２２Ａ間の隙間にバラツキなどがあるとシール性は不十分になるといった問題がある。
【００１０】
そこで、本発明の目的とするところは、組み付けが容易でコストの削減が図れ、しかもシール機能に優れる住宅用サッシのシール構造を提供することにある。
【課題を解決するための手段】
【００１１】
上記の目的を達成するために、請求項１に係る発明は、サッシ枠（１０）内にスライドして開閉自在に嵌合された外障子（２２）の召合せ框（２２Ａ）と内障子（２１）の召合せ框（２１Ａ）との間を塞ぐシール構造であって、
前記外障子（２２）及び内障子（２１）のうちいずれか一方の障子（２１）の召合せ框（２１Ａ）に取付けられる取付基部（５１，６１）と、前記取付基部（５１，６１）に一体成形され、前記両障子（２１，２２）の閉時に、前記他方の障子（２２）の召合せ框（２２Ａ）の相対向する面（２４ａ）に弾接する中空シール部（５１ｂ，６１ｂ）と、前記中空シール部（５１ｂ，６１ｂ）から突設され、前記両障子（２１，２２）の閉時に、前記他方の障子（２２）の召合せ框（２２Ａ）の側面（２４ｃ）側に弾接するヒレ片（５１ｃ，６１ｃ）を備えることを特徴とする。
【００１２】
また、請求項２に記載の発明は、前記他方の障子（２２）の召合せ框（２２Ａ）の相対向する面（２４ａ）にはゴム様弾性体からなる緩衝部材（５２，６２）が設けられ、前記中空シール部（５１ｂ，６１ｂ）は、前記両障子（２１，２２）の閉時に、前記緩衝部材（５２，６２）に弾接することを特徴とする。
【００１４】
また、請求項３に記載の発明は、前記緩衝部材（６２）は、前記中空シール部（５１ｂ）が弾接される中空部（６２ｂ）を有することを特徴とする。
【００１５】
また、請求項４に記載の発明は、前記緩衝部材（６２）の中空部（６２ｂ）は、端部から中央部にかけて前記一方の障子（２１）側への突出量を徐々に大きくした断面略円弧状であることを特徴とする。
【００１６】
また、請求項５に記載の発明は、前記一方の障子（２１）は前記内障子（２１）であり、前記他方の障子（２２）は前記外障子（２２）であることを特徴とする。
【００１７】
また、請求項６に記載の発明は、前記取付基部（５１ａ）は、前記内障子（２１）の召合せ框（２１Ａ）において室内側に露出した面（２３ａ，２３ｄ）を覆うように取付けられることを特徴とする。
【００１８】
なお、括弧内の記号は、図面および後述する発明を実施するための形態に記載された対応要素または対応事項を示す。
【発明の効果】
【００１９】
請求項１に係る発明によれば、サッシ枠内にスライドして開閉自在に嵌合された外障子の召合せ框と内障子の召合せ框との間を、いずれか一方の障子、例えば請求項５に記載の発明のように、内障子の召合せ框側に設けられた中空シール部を外障子の召合せ框の相対向する面に弾接させるのに加えてヒレ片を外障子の召合せ框の側面側に弾接させて塞ぐようにしたので、従来例で記載したシール片のように中空シール部及びヒレ片が反転して部分的にシール切れが生じるといった恐れはない。なお、中空シール部及びヒレ片を取付基部とともに外障子側に取付けるようにし、内障子の召合せ框側に弾接させるようにしてもよい。
特にヒレ片は、召合せ框に対して面接触により十分な弾接量を確保できるので両障子の召合せ框間の隙間のバラツキなどにも対応することができ、長期的に安定した防音効果と雨水に対する優れたシール効果が得られる。
また、住宅用サッシのシール構造が備える中空シール部及びヒレ片は取付基部とともに一部品であるので、従来のものと比較して部品点数が抑えられる。
これにより、サッシ枠に対する組み付けが容易になるとともにコストの削減を図れる。
さらに、ヒレ片は、一方の障子の召合せ框の側面側に弾接することで、両障子の召合せ框間を外側から覆う隙隠しにもなるので外観上見栄えがよい。
【００２０】
また、請求項２に係る発明によれば、他方の障子の召合せ框の相対向する面にはゴム様弾性体からなる緩衝部材が設けられ、中空シール部は、両障子の閉時に、緩衝部材に弾接するようにしたので、中空シール部が他方の障子の召合せ框に直接弾接する場合と比較して防音効果及びシール効果は向上する。
【００２２】
また、請求項３に係る発明によれば、緩衝部材は、中空シール部が弾接される中空部を有するので、中空部同士が面接触で弾接し互いの反力によって確実にシールされ、長期的で安定したシール性が得られる。
【００２３】
また、請求項４に係る発明によれば、緩衝部材の中空部は、端部から中央部にかけて一方の障子側への突出量を徐々に大きくした断面略円弧状であるので、両障子が閉まるにつれてシール面積及びシール力が増加し、確実にシールされる。
【００２４】
また、請求項６に係る発明によれば、取付基部は、内障子の召合せ框において室内側に露出した面を覆うように取付けられるので外観上見栄えがよい。
【図面の簡単な説明】
【００２５】
【図１】本発明の実施形態に係る住宅用サッシのシール構造において障子が開いた状態を示す断面図である。
【図２】図１に示す住宅用サッシのシール構造において障子が閉じた状態を示す、図９のＡ−Ａ線拡大断面図である。
【図３】本発明の実施形態に係る別の住宅用サッシのシール構造において障子が開いた状態を示す断面図である。
【図４】図３に示す住宅用サッシのシール構造において障子が閉じた状態を示す、図９のＡ−Ａ線拡大断面図である。
【図５】本発明の実施形態に係るさらに別の住宅用サッシのシール構造において障子が開いた状態を示す断面図である。
【図６】図５に示す住宅用サッシのシール構造において障子が閉じた状態を示す、図９のＡ−Ａ線拡大断面図である。
【図７】本発明の実施形態に係るさらに別の住宅用サッシのシール構造において障子が開いた状態を示す断面図である。
【図８】図７に示す住宅用サッシのシール構造において障子が閉じた状態を示す、図９のＡ−Ａ線拡大断面図である。
【図９】住宅用サッシの室内側から見た外観側面図である。
【図１０】従来例に係る住宅用サッシのシール構造において障子が閉じた状態を示す、図９のＡ−Ａ線拡大断面図である。
【図１１】図１０に示すシール構造の要部を示す拡大断面図である。
【図１２】従来例に係る別の住宅用サッシのシール構造において障子が閉じた状態を示す、図９のＡ−Ａ線拡大断面図である。
【発明を実施するための形態】
【００２６】
図１，図２及び図９を参照して、本発明の実施形態に係る住宅用サッシのシール構造について説明する。図１は、本発明の実施形態に係る住宅用サッシのシール構造を示すもので障子が開いた状態を示し、図２は、図１に示す住宅用サッシのシール構造において障子が閉じた状態を示すもので、図９のＡ−Ａ線拡大断面図に相当する。従来例で示したものと同一部分には同一符号を付した。
【００２７】
本発明の実施形態に係る住宅用サッシのシール構造は、図９に示したものと同様のサッシ枠１０内にスライドして開閉自在で引き違いに嵌合された外障子２２の召合せ框２２Ａと内障子２１の召合せ框２１Ａとの間を塞ぐものであり、内障子２１の召合せ框２１Ａ側に取付けられシール材５１と、外障子２２の召合せ框２２Ａ側に取付けられたゴム様弾性体からなる緩衝部材５２から構成されている。
【００２８】
シール材５１は、内障子２１の召合せ框２１Ａに取付けられる取付基部５１ａと、取付基部５１ａに一体成形され、両障子２１，２２の閉時に、外障子２２の召合せ框２２Ａの相対向する面２４ａに弾接する中空シール部５１ｂと、中空シール部５１ｂから突設され、両障子２１，２２の閉時に、外障子２２の召合せ框２２Ａの側面２４ｃ側に弾接するヒレ片５１ｃを備えている。
【００２９】
シール材５１の取付基部５１ａは、内障子２１の召合せ框２１Ａの延びる上下方向に沿って取付けられた断面略Ｌ字状であり、召合せ框２１Ａにおいて室内側に露出した面である室内側面２３ａと、内障子２１が取付けられた側面２３ｃとは逆側の側面２３ｄを覆うように取付けられている。また、召合せ框２１Ａの室内側面２３ａを覆う側の取付基部５１ａの肉厚は側面２３ｄを覆う側の肉厚よりも厚く、取付基部５１ａは召合せ框２１Ａに一体化されている。
【００３０】
シール材５１の中空シール部５１ｂは、内障子２１の召合せ框２１Ａの室外側面２３ｂからさらに室外側に向けて膨出湾曲するように設けられ、相対向する外障子２２の召合せ框２２Ａの室内側面２４ａ側、ここでは室内側面２４ａに取付けられた略板状の緩衝部材５２に弾接するようになっている。
また、中空シール部５１ｂは、召合せ框２１Ａの室外側面２３ｂから離間するとともにして室外側面２３ｂに略平行に延びる水平部位Ｐとその水平部位Ｐの側面２３ｃ側端部から室外側面２３ｂに向かって接近するように傾斜する傾斜部位Ｑを備えている。そして、中空シール部５１ｂの水平部位Ｐの室外側面の位置は、召合せ框２２Ａの室内側面２４ａに取付けられた緩衝部材５２の室内側面の位置よりも室外側になるようにしてあり、両障子２１、２２が閉まると中空シール部５１ｂはその傾斜部位Ｑから緩衝部材５２に弾接し、さらに両障子２１、２２が閉まるにつれて中空シール部５１ｂは傾斜部位Ｑから水平部位Ｐに弾接位置を変化するようにしてシール面積及びシール力が徐々に増加するようにしている。
【００３１】
シール材５１のヒレ片５１ｃは、召合せ框２１Ａの室内側面２３ａと側面２３ｄのコーナー部を覆う取付基部５１ａの部位と中空シール部５１ｂとの接続部分から室外側に延びる先細であり、召合せ框２１Ａの側面２３ｄから内障子２１が取付けられた側の側面２３ｃ側に向けて湾曲している。そして、両障子２１，２２の閉時にヒレ片５１ｃは、その内面（召合せ框２１Ａの側面２３ｃ側の面）が、外障子２２の召合せ框２２Ａの側面２４ｃ側、ここでは召合せ框２２Ａに取付けられた緩衝材５２の側面に弾接するようにされている。なお、ヒレ片５１ｃを緩衝材５２の側面とともに召合せ框２２Ａの側面２４ｃにも直接弾接するようにしても、あるいは、召合せ框２２Ａの側面２４ｃだけに直接弾接するようにしてもよい。
【００３２】
なお、シール材５１や緩衝材５２の材質は、特に限定されるわけではないが、ゴム様弾性体であってＥＰＤＭゴムなどのソリッドゴム材や熱可塑性エラストマーのソリッド樹脂材からなり、障子２１，２２の召合せ框２１Ａ，２２Ａに取付けたときの安定性を図るとともに、障子２１，２２の開閉性を良好なものにしている。
また、シール材５１や緩衝材５２の軽量化のためにソリッド材ではなく、微発泡によるスポンジ材や発泡の気泡が明らかに見えるスポンジ材としたり、部分的にスポンジ材で構成してもよい。例えば、シール材５１においてシール機能を果たす中空シール部５１ｂ及びヒレ片５１ｃといった部位を軟質の、オレフィン系エラストマー（ＴＰＯ），スチレン系エラストマー（ＴＰＳ），塩ビ（ＰＶＣ），ＥＰＤＭスポンジ（比重０．４〜０．８）といった材料で形成し、その他の部位となる取付基部５１ａを、硬質の、ポリプロピレン（ＰＰ），オレフィン系エラストマー（ＴＰＯ），スチレン系エラストマー（ＴＰＳ），塩ビ（ＰＶＣ），ＥＰＤＭソリッド（比重０．８〜１．２）といった材料で形成することなどが考えられる。
【００３３】
さらに、中空シール部５１ｂの弾接部位に、水性シリコーンなどの摺動材を塗布したり、摺動材を貼着したり共押出しして両障子２１，２２の開閉性をさらに良好にすることもできる。
【００３４】
以上のような住宅用サッシのシール構造によれば、サッシ枠１０内にスライドして開閉自在に嵌合された外障子２２の召合せ框２２Ａと内障子２１の召合せ框２１Ａとの間を、内障子２１の召合せ框２１Ａ側に設けられた中空シール部５１ｂを外障子２２の召合せ框２２Ａの相対向する面２４ａ側に取付けられた緩衝材５２に弾接させるのに加えてヒレ片５１ｃを外障子２２の召合せ框２２Ａの側面２４ｃ側に弾接させて塞ぐようにしたので、中空シール部５１ｂ及びヒレ片５１ｃが反転して部分的にシール切れが生じるといった恐れはない。
特にヒレ片５１ｃは、外障子２２の召合せ框２２Ａの相対向する面２４ａ側ではなく側面２４ｃ側に面接触により弾接するので十分な弾接量を確保することができ、両障子２１，２２の召合せ框２１Ａ，２２Ａ間の隙間のバラツキなどにも対応することができ、その結果、長期的に安定した防音効果と雨水や風に対する優れたシール効果が得られる。
また、中空シール部５１ｂ及びヒレ片５１ｃは取付基部５１ａとともに一部品であるので、部品点数が抑えられ、これにより、サッシ枠１０に対する組み付けが容易になるとともにコストの削減を図れる。
さらに、ヒレ片５１ｃは、外障子２２の召合せ框２２Ａの側面２４ｃ側に弾接することで、両障子２１，２２の召合せ框２１Ａ，２２Ａ間を外側から覆う隙隠しにもなるので外観上見栄えがよい。
【００３５】
また、外障子２２の召合せ框２２Ａの相対向する面（室内側面）２４ａにはゴム様弾性体からなる緩衝部材５２が設けられ、シール材５１の中空シール部５１ｂは、両障子２１，２２の閉時に、緩衝部材５２に弾接するようにしたので、中空シール部５１ｂが外障子２２の召合せ框２２Ａに直接弾接する場合と比較して防音効果及びシール効果更には断熱効果は向上する。
【００３６】
さらに、シール材５１の取付基部５１ａは断面略Ｌ字状であり、内障子２１の召合せ框２１Ａにおいて室内側に露出した面となる室内側面２３ａと側面２３ｄを覆うように取付けられているので外観上見栄えがよい。
【００３７】
なお、本発明の実施形態では、内障子２１の召合せ框２１Ａに取付けられたシール材５１の中空シール部５１ｂを外障子２２の召合せ框２２Ａに取付けられた緩衝材５２に弾接させるようにしたが、特に緩衝材５２を取付けられていない外障子２２の召合せ框２２Ａに直接弾接させるようにしてもよい。すなわち、両召合せ框２１Ａ，２２Ａ間には、中空シール部５１ｂに加えてシール片５１ｃによる二重シール構造が施されるので十分なシール性が得られる。
【００３８】
また、図３及び図４に示すように、外障子２２の召合せ框２２Ａに取付けられる緩衝材６２側に、両障子２１，２２が閉じられたときに、シール材５１の中空シール部５１ｂが弾接される中空部６２ｂを設けるようにしてもよい。緩衝材６２は、外障子２２の召合せ框２２Ａの室内側面２４ａに取付けられた取付基部６２ａと、取付基部６２ａに一体成形され、室内側にさらに膨出湾曲した中空部６２ｂからなり、中空部６２ｂは、端部から中央部にかけて内障子２１側への突出量を徐々に大きくした断面略円弧状である。
【００３９】
これによれば、シール材５１の中空シール部５１ｂと緩衝材６２の中空部６２ｂといった中空部同士が面接触で弾接するので、互いの反力によって確実にシールされ、長期的で安定したシール性が得られる。
また、緩衝部材６２の中空部６２ｂは、端部から中央部にかけて内障子２１側への突出量を徐々に大きくした断面略円弧状であるので、両障子２１，２２が閉まるにつれてシール面積及びシール力が増加し、確実にシールされる。
【００４０】
また、外障子２２の召合せ框２２Ａに中空部６２ｂを有する緩衝材６２が取付けられ、シール材５１の中空シール部５１ｂと中空部同士が面接触で弾接するようにすれば、シール性は十分であるので、図５及び図６に示すように、シール材５１にヒレ片５１ｃを形成しないようにしてもよい。
【００４１】
また、本発明の実施形態では、シール材５１の取付基部５１ａで内障子２１の召合せ框２１Ａの露出面２３ａ，２３ｄを覆うようにしたが、図７及び図８に示すように、内障子２１の召合せ框２１Ａの室外側面２３ｂにシール材６１の取付基部６１ａを配置し、取付基部６１ａに一体成形し室外側に膨出湾曲する中空シール部６１ｂを設けるとともに、中空シール部６１ｂに両障子２１，２２の閉時に外障子２２の召合せ框２２Ａの側面２４ｃ側に弾接し両召合せ框２１Ａ，２２Ａ間の隙間を目隠しするヒレ片６１ｃを設けるようにしてもよい。
【符号の説明】
【００４２】
１０      サッシ枠
１１      上枠
１２      下枠
１３，１４        縦枠
２１      内障子
２２      外障子
２１Ａ，２２Ａ    召合せ框
２１Ｂ，２２Ｂ    上框
２１Ｃ，２２Ｃ    戸先框
２１Ｄ，２２Ｄ    下框
２３ａ，２４ａ    室内側面
２３ｂ，２４ｂ    室外側面
２３ｃ，２４ｃ    障子側の側面
２３ｄ，２４ｄ    障子とは逆側の側面
３１      シール材
３１ａ    取付基部
３１ｂ    シール片
３２      シール材
３２ａ    取付基部
３２ｂ    シール片
３３      緩衝部材
３５      シール材
３５ａ    取付基部
３５ｂ    中空シール部
５１      シール材
５１ａ    取付基部
５１ｂ    中空シール部
５１ｃ    ヒレ片
５２      緩衝部材
６１      シール材
６１ａ    取付基部
６１ｂ    中空シール部
６１ｃ    ヒレ片
６２      緩衝部材
６２ａ    取付基部
６２ｂ    中空部
１００      ロック部材
ｍ      隙間
【図１】
0005616740.tif 000002
【図２】
0005616740.tif 000003
【図３】
0005616740.tif 000004
【図４】
0005616740.tif 000005
【図５】
0005616740.tif 000006
【図６】
0005616740.tif 000007
【図７】
0005616740.tif 000008
【図８】
0005616740.tif 000009
【図９】
0005616740.tif 000010
【図１０】
0005616740.tif 000011
【図１１】
0005616740.tif 000012
【図１２】
0005616740.tif 000013